(57)【特許請求の範囲】
【請求項１】
上方が開放するコンクリート製の角桝状本体と、該本体の開放上部を覆うコンクリート製の蓋体と、前記本体内面に配設される二重に積層した樹脂フィルムからなる拡散防止フィルムとからなる放射性廃棄物の貯蔵構造物であって、
前記本体は、底面と四つの側面とで囲まれる上方が解放する収容部を有し、隣接する二つの側面が交わる各角部に、各角部を形成する二側面に対する傾斜面が設けられると共に、該傾斜面から内部へインサート金具が埋設され、合計四つの傾斜面の下端には外面側から切欠状の凹部が設けられてなり、
前記蓋体は、下面に前記収容部に臨む隆状部が設けられ、各角部に、各角部を形成する二側面に対する傾斜面が設けられると共に、該傾斜面から内部へインサート金具が埋設されてなり、
前記本体の収容部内に配した拡散防止フィルムの内側へ高放射性廃棄物を収容させ、前記蓋体を隆状部が本体内部に臨むように配置し、本体及び蓋体のそれぞれの傾斜面の各インサート金具に跨るように、且つその上端が蓋体上面より上方に突出するように連結金具を取り付けることにより、該連結金具の上端の内面側を、上段に積み上げた前記構成の貯蔵構造物の本体の合計四つの傾斜面の下端の各凹部の外面側にそれぞれ係合可能であることを特徴とする放射性廃棄物の貯蔵構造物。
【請求項２】
連結金具にクレーンにて吊り上げたワイヤを連結した状態で吊り上げ移動することができることを特徴とする請求項１に記載の放射性廃棄物の貯蔵構造物。
【請求項３】
上方が開放する角桝状本体と、該本体の開放上部を覆う蓋体と、前記本体内面に配設される二重に積層した樹脂フィルムからなる拡散防止フィルムとからなる貯蔵構造物を用いた放射性廃棄物の貯蔵方法であって、
底面と四つの側面とで囲まれる上方が解放する収容部を有し、隣接する二つの側面が交わる各角部に、各角部を形成する二側面に対する傾斜面が設けられると共に、該傾斜面から内部へインサート金具が埋設され、合計四つの傾斜面の下端には外面側から切欠状の凹部が設けられる構成の角桝状本体を設置し、該本体の収容部内に二重に積層しつつ拡散防止フィルムを配設する第１の工程と、
前記拡散防止フィルムの内側へ高放射性廃棄物を収容させる第２の工程と、
下面に前記収容部に臨む隆状部が設けられ、各角部に、各角部を形成する二側面に対する傾斜面が設けられると共に、該傾斜面から内部へインサート金具が埋設される構成の蓋体を、隆状部が本体内部に臨むように配置する第３の工程と、
本体及び蓋体のそれぞれの傾斜面の各インサート金具に跨るように、且つその上端が蓋体上面より上方に突出するように連結金具を取り付ける第４の工程と、
前記構成の貯蔵構造物を所定位置に設置する第５の工程と、
前記第１〜第５の工程を繰り返して下段の貯蔵構造物の連結金具の上端の内面側が、本体の合計四つの傾斜面の下端の各凹部の外面側にそれぞれ係合するように上段の貯蔵構造物を積み上げることを特徴とする放射性廃棄物の貯蔵方法。
【発明の詳細な説明】
【技術分野】
【０００１】
本発明は、高放射性物質に汚染された各種の放射性ゴミ等の廃棄物を封入して長期間に亘って安全に貯蔵することができ、例えば所定のフィールド等に容易に且つ安定に積み上げることができる放射性廃棄物の貯蔵構造物、及び放射性廃棄物の貯蔵方法に関する。
【背景技術】
【０００２】
本年３月上旬の東北太平洋側の地震津波災害によって、福島原子力発電所内の施設崩壊に伴い、多量の高放射性物質（Ｃｓ、Ｓｒ、Ｉ等）が飛散し、該高放射性物質に汚染された放射性ゴミや瓦礫等が大量に発生し、回収され、廃棄処理、除洗処理を待っている。尤も、放射性ゴミや瓦礫等は膨大な量であり、処理速度の問題等もあり、復興の促進しない一因となっている。
【０００３】
このような高放射性物質に汚染された放射性廃棄物を、一刻も早く安全化する処理方法が当然のことながら望まれてはいるが、それよりも、身の安全を確保するという最重要観点から、前述の膨大量の放射性廃棄物を安全に貯蔵することが可能な構造物が希求されている。なお、この度の震災前に提案された特許文献１，２に開示される容器の適用について、以下に検討する。
特許文献１は、厚肉の略円筒状に成形したコンクリート容器の底部と上部を塞いで内部の放射物質収容容器内に、使用済燃料を保管することを想定している。
特許文献２は、規格ドラム容器に格納して用いられるステンレス鋼製の筒と、ステンレス鋼の蓋とを備える放射線遮蔽容器であり、容器遮蔽体としてコンクリートを用いる記載もある。
【先行技術文献】
【特許文献】
【０００４】
【特許文献１】特開２００４−１４４６００号公報
【特許文献２】特開２０１０−８２２４号公報
【発明の概要】
【発明が解決しようとする課題】
【０００５】
しかしながら、前記特許文献１，２に記載の容器は、何れも略円筒状であって、そもそも前述のような膨大量の放射性廃棄物を貯蔵することを想定していないので、クレーン等での積み上げ等を行う作業やその安定性について何等考慮されたものではなかった。
仮に前記構造の容器を、所定のフィールド等に設置して積み上げ放置しようとした場合には、容器自体が転倒して転がるというような事故を生ずることは極めた高い可能性で想定されるものであった。
【０００６】
そこで、本発明は、高放射性物質に汚染された各種の放射性ゴミ等の廃棄物を封入して長期間に亘って安全に貯蔵することができ、例えば所定のフィールド等に容易に且つ安定に積み上げることができる放射性廃棄物の貯蔵構造物を提案することを目的とする。
【課題を解決するための手段】
【０００７】
本発明は上記に鑑み提案されたもので、上方が開放するコンクリート製の角桝状本体と、該本体の開放上部を覆うコンクリート製の蓋体と、前記本体内面に配設される二重に積層した樹脂フィルムからなる拡散防止フィルムとからなる放射性廃棄物の貯蔵構造物であって、前記本体は、底面と四つの側面とで囲まれる上方が解放する収容部を有し、隣接する二つの側面が交わる各角部に、各角部を形成する二側面に対する傾斜面が設けられると共に、該傾斜面から内部へインサート金具が埋設され、合計四つの傾斜面の下端に外面側から切欠状の凹部が設けられてなり、前記蓋体は、下面に前記収容部に臨む隆状部が設けられ、各角部に、各角部を形成する二側面に対する傾斜面が設けられると共に、該傾斜面から内部へインサート金具が埋設されてなり、前記本体の収容部内に配した拡散防止フィルムの内側へ高放射性廃棄物を収容させ、前記蓋体を隆状部が収容部に臨むように配置し、本体及び蓋体のそれぞれの傾斜面の各インサート金具に跨るように、且つその上端が蓋体上面より上方に突出するように連結金具を固定することにより、該連結金具の上端の内面側を、上段に積み上げた前記構成の貯蔵構造物の本体の合計四つの傾斜面の下端の各凹部の外面側にそれぞれ係合可能であることを特徴とする放射性廃棄物の貯蔵構造物に関するものである。
【０００８】
また、本発明は、前記貯蔵構造物において、連結金具にクレーンにて吊り上げたワイヤ（以下、吊りワイヤという）を連結した状態で吊り上げ移動することができることを特徴とする放射性廃棄物の貯蔵構造物をも提案する。
【０００９】
さらに、本発明は、上方が開放するコンクリート製の角桝状本体と、該本体の開放上部を覆うコンクリート製の蓋体と、前記本体内面に配設される二重に積層した樹脂フィルムからなる拡散防止フィルムとからなる貯蔵構造物を用いた放射性廃棄物の貯蔵方法であって、底面と四つの側面とで囲まれる上方が解放する収容部を有し、隣接する二つの側面が交わる各角部に、各角部を形成する二側面に対する傾斜面が設けられると共に、該傾斜面から内部へインサート金具が埋設され、合計四つの傾斜面の下端には外面側から切欠状の凹部が設けられる構成の角桝状本体を設置し、該本体の収容部内に二重に積層しつつ拡散防止フィルムを配設する第１の工程と、前記拡散防止フィルムの内側へ高放射性廃棄物を収容させる第２の工程と、下面に前記収容部に臨む隆状部が設けられ、各角部に、各角部を形成する二側面に対する傾斜面が設けられると共に、該傾斜面から内部へインサート金具が埋設される構成の蓋体を、隆状部が本体内部に臨むように配置する第３の工程と、本体及び蓋体のそれぞれの傾斜面の各インサート金具に跨るように、且つその上端が蓋体上面より上方に突出するように連結金具を取り付ける第４の工程と、前記構成の貯蔵構造物を所定位置に設置する第５の工程と、前記第１〜第５の工程を繰り返して下段の貯蔵構造物の連結金具の上端の内面側が、本体の合計四つの傾斜面の下端の各凹部の外面側にそれぞれ係合するように上段の貯蔵構造物を積み上げることを特徴とする放射性廃棄物の貯蔵方法をも提案するものである。
【発明の効果】
【００１０】
本発明の放射性廃棄物の貯蔵構造物は、高放射性物質に汚染された各種の放射性ゴミ等の廃棄物を封入して長期間に亘って安全に貯蔵することができ、例えば所定のフィールド等に容易に且つ安定に積み上げることができる。
詳しくは、本発明の貯蔵構造物の収容部内に貯蔵された放射性廃棄物は、二重の拡散防止フィルムと、本体や蓋体で構成されるコンクリート層にて包囲されているため、保管中に貯蔵構造物の外部へ拡散したり浸透することが無く、極めて安全に貯蔵されるものとなる。
また、本発明の貯蔵構造物は、本体と蓋体とを連結する連結金具を、四角の外側に形成した切欠に埋設したインサート金具に固定する構成であるため、例えば四面に二箇所ずつ固定する場合に比べて半数の金具でよく、クレーン等での積み上げ等を行う作業においても、吊り下げ用のワイヤは四面に二箇所ずつ固定する場合に比べて半数でよいため、作業性に優れている。しかも、連結金具は、その上端が上段の貯蔵構造物の底部の凹部と係合することができるため、安定に積み上げ載置することができ、仮に地震等が起こっても上段の貯蔵構造物のズレ落ちを防止することができる。
さらに、蓋体の隆状部は、収容部に臨むように配置するものであり、本体の上部に蓋体を載置する際の位置規制の役割を果たすため、蓋体の設置作業を容易に行うことができ、しかも蓋体を設置した後にはズレを抑制することができる。
【００１１】
また、連結金具に吊りワイヤを連結した状態で吊り上げ移動することができる場合、具体的には、連結金具にフックを固定て吊りワイヤに間接的に連結してもよいし、連結金具に孔を形成して吊りワイヤを直接的に連結してもよい。
【００１２】
さらに、本発明の放射性廃棄物の貯蔵方法は、前記構成の貯蔵構造物を用いて貯蔵するものであり、貯蔵構造物内に貯蔵された放射性廃棄物は、二重の拡散防止フィルム及び本体や蓋体で構成されるコンクリート層に包囲され、保管中に貯蔵構造物の外部へ拡散したり浸透することが無く、極めて安全に貯蔵することができる。
【図面の簡単な説明】
【００１３】
【図１】本発明の貯蔵構造物の第１実施例の正面図である。
【図２】前記貯蔵構造物の平面図である。
【図３】前記貯蔵構造物の底面図である。
【図４】前記貯蔵構造物の右側面図である。
【図５】図２中のＶ−Ｖ線における断面図である。
【図６】図２中のVI−VI線における断面図である。
【図７】前記貯蔵構造物の角部を示す拡大断面図である。
【図８】前記貯蔵構造物を構成する本体のみを示す正面図である。
【図９】前記貯蔵構造物を構成する本体のみを示す平面図である。
【図１０】前記貯蔵構造物を構成する本体のみを示す底面図である。
【図１１】前記貯蔵構造物を構成する本体のみを示す右側面図である。
【図１２】前記貯蔵構造物を構成する蓋体のみを示す正面図である。
【図１３】前記貯蔵構造物を構成する蓋体のみを示す平面図である。
【図１４】前記貯蔵構造物を構成する蓋体のみを示す底面図である。
【図１５】前記貯蔵構造物を構成する蓋体のみを示す右側面図である。
【図１６】前記貯蔵構造物の斜視図である。
【図１７】前記貯蔵構造物の分解斜視図である。
【図１８】本体に対し、蓋体を取り付ける吊り状態を示す斜視図である。
【図１９】前記貯蔵構造物を多段に積み上げる際などの吊り状態を示す斜視図である。
【発明を実施するための形態】
【００１４】
本発明の放射性廃棄物の貯蔵構造物は、上方が開放するコンクリート製の角桝状本体と、該本体の開放上部を覆うコンクリート製の蓋体と、前記本体内面に配設される二重に積層した拡散防止フィルムとからなる構成である。
【００１５】
本発明における貯蔵構造物を構成する本体や蓋体としては、例えば鋼繊維やガラス繊維などを混入した繊維補強コンクリート、表面に樹脂を含浸させて緻密さを高めた樹脂含浸コンクリートなどどのようなコンクリートでもよく、鉄筋等の筋材を配設した鉄筋コンクリートでもよい。
【００１６】
本体は、略角桝状に成形された成形体であって、底面と四つの側面とで囲まれる上方が解放する収容部を有する形状であり、隣接する二つの側面が交わる各角部の外側に切欠が設けられ、該切欠から内部へインサート金具が埋設されている。この切欠は、各角部を形成する二側面に対して約４５度傾斜するように形成され、該切欠から内側に向かってインサート金具が埋設されている。この切欠の大きさやインサート金具については、特に限定するものではなく、適宜に設計、選択することができる。なお、本発明におけるこの「切欠」を設けるとは、切り欠いたような形状に成形体（本体及び蓋体）を作成することを意味しており、成形体に何らかの加工を加えて切り欠くものではなく、コンクリート型枠に切欠用の成形を加えることを意味している。
また、底面四隅には、それぞれ凹部が設けられている。この凹部は、後述する連結金具の上端を係止する係止受部に相当し、この係止受部の連結金具の上端の大きさや形状に応じて適宜に設計、選択できる。
なお、この略角桝状の本体の収容部の形状については、特に限定するものではないが、後述する図示実施例のように側壁のうち各角部の肉厚が薄くならないように隅部（角部内面）が内側へせり出した形状に形成することが望ましい。
【００１７】
蓋体は、略四角盤状に成形された成形体であって、各角部の外側に切欠が設けられ、該切欠から内部へインサート金具が埋設されている。この切欠やインサート金具については前記本体の各角部に設けるものと全く同様であるから説明を省略する。
また、蓋体の下面とは、本体収容部に面する面であるが、この下面は、前記本体の上端に載置される部分とその内側に位置する載置されない部分からなり、載置されない部分が下方へ突出（隆起）している構成を、「収容部に臨む隆状部が設けられている」構成とした。そして、この隆起部の平面形状を、収容部の平面形状と略同一で、僅かに小さく形成することにより、蓋体を本体に設置する際に、位置規制が果たされ、設置作業を容易に且つ確実に行うことができ、しかも蓋体を設置した後にはズレを抑制することができる。
【００１８】
連結金具は、この貯蔵構造物の角部にそれぞれ取り付けられるため、４本が必要となるものであるが、前記本体及び前記蓋体を連結する金具であると共に、貯蔵構造物を上下に積み上げた際のズレを防止する金具（係止金具）をも兼ねる。
即ちこの連結金具は、前記本体及び前記蓋体の各切欠から内部へ埋設した各インサート金具に跨るように取り付けられるが、上端が蓋体の上方に突出するため、上段に積み上げた貯蔵構造物の本体底部の各凹部に係止する係止金具を兼ねるものである。
したがって、この連結金具としては、後述する図示実施例のように断面Ｕ字状に成形した鋼材を用いてもよいし、強度の高い鋼棒材、角鋼材等を用いてもよい。
【００１９】
また、この連結金具には、吊りワイヤを直接的又は間接的に連結し、貯蔵構造物全体をクレーン等にて吊り上げ移動するようにしてもよい。
連結金具に吊りワイヤを直接的に連結する場合には、上端に孔を形成して吊りワイヤを取り付けてもよいし、間接的に連結する場合には、連結金具に後述する図示実施例のようにフックなどを取り付けて該フックに吊りワイヤを取り付けるようにしてもよい。
【００２０】
拡散防止フィルムは、放射性物質の拡散を少しでも防止しようとする目的で使用されるものであって、特にその材質や厚みを限定するものではなく、例えばポリプロピレン、ポリエチレン、ポリ塩化ビニル等の汎用性高い樹脂フィルムを厚手に成形し、更に二重に積層して用いるものである。例えばテント屋根等に用いられる厚手シートを袋状に成形したものを使用してもよい。また、極めて遮蔽性の高いフィルムが見出せたなら、当然のことながら、それも使用し得る。
【００２１】
なお、例えば本体上端面の四隅に突起部を設け、蓋体の下面の四隅に前記突起部が嵌入する窪み部が設けた場合には、本体の開放上部を覆うように蓋体を設置する際に、前述の蓋体の隆状部と同様にこの突起部も位置規制の役割を果たし、またその効果についても隆状部と同様に蓋体の設置作業を容易に行うことができ、蓋体の設置後のズレを抑制することができる。
また、本体と蓋体との間には、天然ゴムやクロロプレンゴム等の止水材を配設して内部への雨水等の浸透、外部への汚染水分の漏れ出しを防止するようにしても良い。
【００２２】
本発明の貯蔵構造物は、前記構成の各部材から構成され、詳細な構成については、後述する図示実施例の説明に伴って行う。
【実施例】
【００２３】
本発明を図面の実施例に基づいて説明する。尚、本発明は実施例に限定されるものではなく、特許請求の範囲に記載の構成を変更しない限りどのようにでも実施することができる。
【００２４】
本発明の貯蔵構造物１を構成する本体２及び蓋体３は、コンクリート製であるが、密度２．３ｔ／ｍ3以上の普通コンクリート又は重量コンクリートを用いることが望ましく、鉄筋等の筋材を配設した鉄筋コンクリートでもよい。普通コンクリートは、相対的に安価であるため、この貯蔵構造物を大量に必要とする場合には、好適であるが、放射性廃棄物からの放射能の拡散が多い場合には、コンクリート密度が高く、放射線遮蔽性の高い重量コンクリートを用いることが望ましい。この重量コンクリートは、比重の大きい鉄、重晶石、鉄鉱石などの重量骨材を用いた密度３．０〜５．０ｔ／ｍ3のコンクリートであるため、ガンマ線、エックス線などによる放射能を遮蔽することができる。
使用したコンクリートの使用材料を表１に、配合例を表２に、コンクリートのフレッシュ性状を表３に、硬化・養生後の各コンクリートの物性を表４に示す。
【００２５】
【表１】
0005866695.tif 000002
【表２】
0005866695.tif 000003
【表３】
0005866695.tif 000004
【表４】
0005866695.tif 000005
【００２６】
図１は、本発明の貯蔵構造物１の第１実施例の正面図であり、コンクリート製の角桝状の本体２にコンクリート製の蓋体３を嵌め付けた状態を示している。
本体２は、底面２１と４つの側面２２とで囲まれる上方が解放する収容部２３を有し、隣接する二つの側面２２，２２が交わる各角部の外側に切欠２４が設けられると共に、該切欠２４から内部へインサート金具２５が埋設され、底面四隅には凹部２６が設けられた構成である。
蓋体３は、下面に収容部２３に臨む隆状部３１が設けられ、各角部外側に切欠３２が設けられると共に、切欠３２から内部へインサート金具３３が埋設された構成である。
連結金具４は、断面Ｕ字（コ字）状の鋼材であって、前記本体２のインサート金具２５と前記蓋体３のインサート金具３３とに跨るように、且つその上端が蓋体３上面より上方に突出するように固定されている。また、この連結金具４には、図７に示すように棒状材を略Ｕ字状に屈曲すると共に、その弧状先端が外側へ突出するように固定したフック４１が固定されている。
そして、この本体２に蓋体３を嵌め付けた状態では、蓋体３の隆状部３１が本体２の収容部２３に臨む（嵌合する）ように配置され、前記本体２の切欠２４と前記蓋体３の切欠３２とが突き合わされるように配設され、前記本体２のインサート金具と前記蓋体３のインサート金具３３とに跨って連結金具４が固定されている。
なお、各部材の外郭に描かれた二重線状は、角頂部の面取り部分を示している。
【００２７】
図２は、この貯蔵構造物１の平面図を示す。
同図からも明らかなように、本体２の切欠２４に固定した連結金具４は、蓋体３上に及んでいる。
【００２８】
図３は、この貯蔵構造物１の底面図を示し、図４は、この貯蔵構造物１の右側面図を示す。
同図からも明らかなように、本体２の底面四隅には凹部２６が設けられている。
【００２９】
図５は、前記図２中のＶ−Ｖ線における断面図を示す。
同図からも明らかなように、蓋体３に形成した隆起部３１が本体２の収容部２３に臨むように配設され、本体２の上部に蓋体３を載置する際の位置規制の役割を果たし、クレーン等を用いた設置作業を容易に行うことができる。
【００３０】
図６は、前記図２中のVI−VI線における断面図を示す。
【００３１】
図７は、前記貯蔵構造物１の角部を拡大して示す断面図であり、本体２の切欠２４と蓋体の切欠３２とが突き合わされ、前述の蓋体３の隆状部３２の嵌合により、本体２に対する蓋体３の設置作業を容易に行うことができ、蓋体３の設置後のズレを抑制することができる。
そして、本体２の切欠２４から内側へ埋設されたインサート金具２５、及び蓋体３の切欠３２から内側へ埋設されたインサート金具３３に跨るように連結金具４を容易に取り付けることができる。この連結金具４には、前述のようにフック４１がその弧状先端が外側へ突出するように固定されている。
【００３２】
図８〜図１１には、本体２のみの正面図、平面図、底面図、右側面図を示し、図１２〜１５には、蓋体３のみの正面図、平面図、底面図、右側面図を示す。
【００３３】
図１６は、この貯蔵構造物１の設置状態を示すものであり、点線で示す内部に貯蔵された放射性廃棄物（６）は、二重の拡散防止フィルム５と、本体２や蓋体３で構成されるコンクリート層にて包囲されているため、保管中に貯蔵構造物１の外部へ拡散したり浸透することが無く、極めて安全に貯蔵される。
【００３４】
図１７は、この貯蔵構造物１の分解斜視図であり、前記構成の本体２と、その内部に収容する放射性廃棄物６と、前記構成の蓋体３と、が記載されている。
この貯蔵構造物１を設置する作業の手順は、以下の（１）〜（５）にて構成される。
（１）まず、所定の作業場所に本体１を設置する。
（２）次に、貯蔵構造物１の収容部２３の内面に、二重にした拡散防止フィルム５を配設する。
（３）続いて配設した拡散防止フィルム５の内部に、放射性廃棄物６を収容する。
（４）その後、拡散防止フィルム５の余剰部分を収容部２３内に収容する。
（５）続いて蓋体３を、本体２の開放上部を覆うように取り付ける。
（６）本体２と蓋体３の角部にそれぞれ連結金具４を取り付けて固定する。
（７）最後に、貯蔵構造物１を所定の保管位置に配置するためにクレーン等で吊り上げて設置する。
【００３５】
前記（１）及び（２）の工程は、放射性物質の拡散を考慮する必要がないため、容易に行うことができる。なお、本体２の設置に関し、前記インサート金具２５に連結金具４を一時的に取り付けた状態でクレーン等にて吊り上げて所望の場所に設置するようにしてもよい。
前記（３）〜（６）の工程は、放射性廃棄物６からの放射性物質の拡散を考慮する必要があるため、可能な限り付近に作業者は近寄らない状態で作業を行う必要がある。このうち、少なくとも前記（３）及び（５）の工程は、クレーン等にて吊り上げて行うことができるので、極めて安全に実施することができる。
【００３６】
図１８は、内部に放射性廃棄物６を収容した本体２に対し、蓋体３を図示しないクレーン等にて吊り上げた状態を示すものである。
図示実施例では、吊りワイヤ７は、インサート金具３３に取り付けて吊った状態を示したが、前記構成の連結金具４を一時的に取り付けて該連結管具４のフック４１を吊りワイヤ７に連結して吊るようにしてもよい。
この後、前述の（５）の工程のように蓋体３を本体２の所定位置に配置して被せるよう（のインサート金具２５）に取り付け、この状態で、前述の（６）の工程のように、連結金具４を、本体２の切欠２４と蓋体３の切欠３２（のインサート金具３３）に跨って固定することにより、貯蔵構造物１が閉塞される。
【００３７】
図１９は、内部に放射性廃棄物６を収容した貯蔵構造物１を、図示しないクレーン等にて吊り上げた状態を示す。
前述のように連結金具４は、本体２（のインサート金具２５）と蓋体３（のインサート金具３３）とに跨って取り付けられたものであり、角部４箇所にそれぞれ取り付けられているが、その弧状先端が外側へ突出するようにフック４１が固定されているので、弧状先端に、吊りワイヤ７を連結し、図示するように吊り下げる。
【００３８】
そして、これらの操作（作業）を繰り返し、貯蔵構造物１を多段に積み上げることができる。その際、連結金具４は、その上端が上段の貯蔵構造物１の底部の凹部２６と係合することができるため、安定に積み上げ載置することができ、仮に地震等が起こっても上段の貯蔵構造物１のズレ落ちを防止できる。
【符号の説明】
【００３９】
１  貯蔵構造物
２  本体
２１  底面
２２  側面
２３  収容部
２４  切欠
２５  インサート金具
２６  凹部
３  蓋体
３１  隆状部
３２  切欠
３３  インサート金具
４  連結金具
４１  フック
５  拡散防止フィルム
６  放射性廃棄物
７  吊りワイヤ
【図１】
0005866695.tif 000006
【図２】
0005866695.tif 000007
【図３】
0005866695.tif 000008
【図４】
0005866695.tif 000009
【図５】
0005866695.tif 000010
【図６】
0005866695.tif 000011
【図７】
0005866695.tif 000012
【図８】
0005866695.tif 000013
【図９】
0005866695.tif 000014
【図１０】
0005866695.tif 000015
【図１１】
0005866695.tif 000016
【図１２】
0005866695.tif 000017
【図１３】
0005866695.tif 000018
【図１４】
0005866695.tif 000019
【図１５】
0005866695.tif 000020
【図１６】
0005866695.tif 000021
【図１７】
0005866695.tif 000022
【図１８】
0005866695.tif 000023
【図１９】
0005866695.tif 000024